(57)【要約】  バックライトモジュール及び表示装置を提供する。このバックライトモジュールは、底板の内側に少なくとも一つの位置決め構造（２４）が設置されているバックプレート（２１）と、少なくとも一つの位置決め構造（２４）と嵌め合う凹溝（２３）が設けられている導光板（２２）とを含み、各位置決め構造（２４）は、少なくとも一つの位置決め柱を含み、各位置決め柱は、本体（２４１）とこの本体を覆うソフトスリーブ（２４２）とを含み、凹溝（２３）の内壁が本体（２４１）のソフトスリーブ（２４２）に接触されている。このバックライトモジュールは、導光板（２２）における破片の発生を減少でき、導光板（２２）と光学フィルムシート（２５）のずれを防止できる。
2020503637.tif 000002
【特許請求の範囲】
【請求項１】
底板の内側に少なくとも一つの位置決め構造が設置されているバックプレートと、
前記少なくとも一つの位置決め構造と嵌め合う凹溝が設けられている導光板とを含み、
各位置決め構造は、少なくとも一つの位置決め柱を含み、
各位置決め柱は、本体と、前記本体を覆うソフトスリーブとを含み、
前記凹溝の内壁が前記本体のソフトスリーブに接触されている、バックライトモジュール。
【請求項２】
光学フィルムシートをさらに含み、
前記光学フィルムシートには前記少なくとも一つの位置決め構造と嵌め合う切欠部が設けられている、請求項１に記載のバックライトモジュール。
【請求項３】
前記本体は柱状であり、前記底板と平行している面内での何れか断面は、その形状が同じ且つ大きさが同じである、請求項２に記載のバックライトモジュール。
【請求項４】
前記本体は階段の柱状であり、前記導光板に近接する第１部分と前記光学フィルムシートに近接する第２部分とを含み、前記第１部分は前記バックプレートと平行している面内での正投影が前記第２部分より大きい、請求項２に記載のバックライトモジュール。
【請求項５】
前記本体はテーパ状であり、前記導光板から前記光学フィルムシートまでに向ける方向に沿って徐々に小さくなっている、請求項２に記載のバックライトモジュール。
【請求項６】
前記ソフトスリーブは、階段のスリーブ形状を有し、且つ、前記導光板に近接する第１部分と前記光学フィルムシートに近接する第２部分とを含み、前記底板に垂直している方向に関して、前記第１部分の厚さは前記第２部分より大きい、請求項３又は４に記載のバックライトモジュール。
【請求項７】
前記本体は、前記底板と平行している面内での何れかの断面の形状が規則の幾何形状である、請求項１に記載のバックライトモジュール。
【請求項８】
前記規則の幾何形状は、楕円形、円形、及び正多角形中のいずれか一つである、請求項１に記載のバックライトモジュール。
【請求項９】
各位置決め構造は、前記バックプレートの底板に接続するソフトパッドを含み、前記少なくとも一つの位置決め柱のソフトスリーブは前記ソフトパッドと一体的に形成されている、請求項１〜８のいずれか一項に記載のバックライトモジュール。
【請求項１０】
前記バックプレートの底板には凸部が設けられ、前記ソフトパッドには前記凸部と嵌め合うように接続される孔が設けられている、請求項９に記載のバックライトモジュール。
【請求項１１】
前記バックプレートの底板には凹溝が設けられ、前記ソフトパッドには前記凹溝と嵌め合うように接続される凸部が設けられている、請求項９に記載のバックライトモジュール。
【請求項１２】
前記ソフトスリーブはゴムスリーブのものであり、前記ソフトパッドはゴムのものである、請求項９に記載のバックライトモジュール。
【請求項１３】
前記少なくとも一つの位置決め柱は、一つの直線に位置する位置決め柱を複数含む、請求項１に記載のバックライトモジュール。
【請求項１４】
前記少なくとも一つの位置決め構造は、少なくとも二つがあり、それぞれ前記バックプレートの対向する二つの非光入射側に分布されている、請求項１に記載のバックライトモジュール。
【請求項１５】
請求項１〜１４のいずれか一項に記載のバックライトモジュールを含む表示装置。
【発明の詳細な説明】
【技術分野】
【０００１】
本開示の実施例は、表示技術分野に関して、特に、バックライトモジュール及び表示装置に関する。
【背景技術】
【０００２】
バックライトモジュールは、液晶表示装置にとって重要な構成要素の一つであり、その基本原理は、点状光源及び線状光源を高い輝度および相対的に良い均一性を有する面状光源に転換して、液晶パネルには画像を正常に表示させることができる。
従来のバックライトモジュールは、運搬時において、導光板とその上に位置する固定部材との接触は剛性であるため、摩擦による破片が極めて生じやすくなり、この破片は導光板と光学フィルムシートとの間に入って、画面の効果に影響を与えている。また、バックプレート及びゴム枠に固定部件が複数設置されており、この固定部件の公差の累積によって導光板またはフィルム部材がずれるため、画面の品質に影響を与えている。
【発明の概要】
【発明が解決しようとする課題】
【０００３】
本開示の実施例は、バックライトモジュール及び表示装置を提供し、破片の発生を減少させ、導光板と光学フィルムシートのずれを防止させる。
【課題を解決するための手段】
【０００４】
本開示の実施例は、底板の内側に少なくとも一つの位置決め構造が設置されているバックプレートと、前記少なくとも一つの位置決め構造と嵌め合う凹溝が設けられている導光板とを含み、各位置決め構造は、少なくとも一つの位置決め柱を含み、各位置決め柱は、本体と、前記本体を覆うソフトスリーブとを含み、前記凹溝の内壁が前記本体のソフトスリーブに接触されている、バックライトモジュールを提供する。
【０００５】
一実施例では、バックライトモジュールは光学フィルムシートをさらに含み、前記光学フィルムシートには前記少なくとも一つの位置決め構造と嵌め合う切欠部が設けられている。
【０００６】
一実施例では、前記本体は柱状であり、前記底板と平行している面内での何れか断面は、その形状が同じ且つ大きさが同じである。
【０００７】
一実施例では、前記本体は階段の柱状であり、前記導光板に近接する第１部分と前記光学フィルムシートに近接する第２部分とを含み、前記第１部分は前記バックプレートと平行している面内での正投影が前記第２部分より大きい。
【０００８】
一実施例では、前記本体はテーパ状であり、前記導光板から前記光学フィルムシートまでに向ける方向に沿って徐々に小さくなっている。
【０００９】
一実施例では、前記ソフトスリーブは、階段のスリーブ形状を有し、且つ、前記導光板に近接する第１部分と前記光学フィルムシートに近接する第２部分とを含み、前記底板に垂直している方向に関して、前記第１部分の厚さは前記第２部分より大きい。
【００１０】
一実施例では、前記本体は、前記底板と平行している面内での何れかの断面の形状が規則の幾何形状である。
【００１１】
一実施例では、前記規則の幾何形状は、楕円形、円形、及び正多角形中の何れか一つである。
【００１２】
一実施例では、各位置決め構造は、前記バックプレートの底板に接続するソフトパッドを含み、前記少なくとも一つの位置決め柱のソフトスリーブは前記ソフトパッドと一体的に形成されている。
【００１３】
一実施例では、前記バックプレートの底板には凸部が設けられ、前記ソフトパッドには前記凸部と嵌め合うように接続される孔が設けられている。
【００１４】
一実施例では、前記バックプレートの底板には凹溝が設けられ、前記ソフトパッドには前記凹溝と嵌め合うように接続される凸部を具有する。
【００１５】
一実施例では、前記ソフトスリーブはゴムスリーブものであり、前記ソフトパッドはゴムのものである。
【００１６】
一実施例では、前記少なくとも一つの位置決め柱は、一つの直線に位置する位置決め柱を複数含む。
【００１７】
一実施例では、前記少なくとも一つの位置決め構造は、少なくとも二つがあり、それぞれ前記バックプレートの対向する二つの非光入射側に分布されている
【００１８】
本公開の実施例は前記バックライトモジュールを含む表示装置をさらに提供する。
【００１９】
本開示の実施例の技術案をより明瞭に説明するために、以下、実施例の図面を簡単に説明するが、勿論、以下の説明における図面は本開示の一部の実施例に関するものに過ぎず、本開示を限定するものではない。
【図面の簡単な説明】
【００２０】
【図１】バックライトモジュールの構造を示す模式図である。
【図２】バックライトモジュールの断面模式図である。
【図３】本開示の一実施例に係る位置決め構造を示す構造模式図である。
【図４】本開示のその他の実施例に係る位置決め構造を示す構造模式図である。
【図５】本開示の一実施例に係る導光板及び光学フィルムシートの平面図である。
【発明を実施するための形態】
【００２１】
以下、本開示の実施形態の目的、技術案及び利点をさらに明確にするように、本開示の実施形態の図面を参照しながら、本開示の実施形態の技術案を明確で完全に説明する。勿論、説明される実施形態は、本開示の実施形態の一部であり、全ての実施形態ではない。説明される本開示の実施形態に基づき、当業者が創造的な労働をしない前提で得られる全ての他の実施形態は、いずれも本開示の保護範囲に入る。
【００２２】
特別に定義しなければ、本開示に使われる技術用語又は科学用語は本開示の所属分野における一般の従業者が理解できる通常の意味である。本開示の明細書及び請求の範囲に使われる「第１」、「第２」及び類似する用語は、異なる構成要素を区別するためのものに過ぎず、順番、数量又は重要度を示すものではない。「含む」又は「備える」等の類似する用語は、該用語の前に記載された素子又は部品が該用語の後に挙げられる素子又は物体及びそれらと同等のものをカバーするが、ほかの素子又は物体を排除しないことを意味する。「接続」又は「繋がる」等の類似する用語は、物理的又は機械的な接続に制限されるものではなく、直接接続されるか間接的に接続されるかを問わず、電気的な接続を含むこともできる。「上」、「下」、「左」、「右」等は単に相対位置関係を意味するものであり、説明される対象の絶対位置関係が変わると、当該相対位置関係もそれにつれて変わる可能性がある。
【００２３】
図１及び図２に示すように、サイドライト式バックライトモジュールは、バックプレート１１と、反射シート１２と、導光板１３と、光学フィルムシート１４とを含み、前記バックプレート１１は、収容空間を囲む底板及び側壁を含み、反射シート１２と、導光板１３と、光学フィルムシート１４とは、バックプレート１１の収容空間の内部に位置して順に配置されている。バックライトモジュールは、バックプレート１１の側壁と導光板１３の光入射面との間に位置する光源１５と、光学フィルムシート１４の前側に位置してバックプレート１１とを連続しているゴム枠１６と、をさらに含み、バックプレート１１の底板の内側に位置決め柱１７が設けられ、ゴム枠１６の前壁の内側に位置決め凸部１８が設けられ、導光板１３は、位置決め柱１７と嵌め合う凹溝を有し、光学フィルムシート１４は、バックプレート１１の位置決め柱１７と嵌め合う第１切欠部と、ゴム枠１６の位置決め凸部１８と嵌め合う第２切欠部と、を含む。
【００２４】
本開示の実施例に提供されているバックライトモジュール及び表示装置は、導光板の破片が生じることを減少し、導光板及び光学フィルムシートがずれることを回避できる。
【００２５】
図３及び図４に示すように、本開示の一実施例に提供されているバックライトモジュールは、バックプレート２１と導光板２２とを含む。バックプレート２１の底板の内側に少なくとも一つの位置決め構造２４が設けられており、各位置決め構造２４は少なくとも一つの位置決め柱を含み、各位置決め柱は本体２４１及び本体２４１を覆うソフトスリーブ２４２を含む。導光板２２は位置決め構造２４と嵌め合う凹溝２３を有しており、この凹溝２３の内壁が前記本体２４１のソフトスリーブ２４２に接触している。この凹溝２３は、例えば位置決め構造２４が凹溝２３から貫通するための貫通孔である。二つの位置決め構造２４の間隔が大きい場合に、それぞれの位置決め構造２４に対して凹溝２３が一つずつ設置されてもよく、二つの位置決め構造２４の間隔が小さい場合に、図３に示すように共通の凹溝２３が設置されてもよい。凹溝２３の位置は位置決め構造２４の位置次第であり、導光板の外周縁に設置されてもよいが（図３に示すように）、導光板の四つ隅またはその他の位置に設置されてもよい。
【００２６】
本実施例では、凹溝２３は三つの側壁２３ａ、２３ｂ、２３ｃを含み、少なくとも一つの側壁２３ｃがソフトスリーブ２４２に接触されている。その他の実施例では、少なくとも二つの側壁２３ａ、２３ｂがソフトスリーブ２４２に接触されており、または全ての側壁がソフトスリーブ２４２に接触されている。
【００２７】
上記の本開示の実施例では、当該バックライトモジュールの導光板２２はソフトスリーブ２４２と弾性的に接触されているため、導光板と固定部材の剛性的な接触によって破片が生じることが防止できる。そのため、画面の効果を改善することができる。また、当該バックライトモジュールは位置決め構造２４で導光板２２及び光学フィルムシート２５を共に位置決める構造を採用するため、異なる固定部材で導光板２２及び光学フィルムシート２５を固定することに比べて、位置決め構造２４の数量が減少され、複数の位置決め構造２４による公差の累積が改善され、導光板及び光学フィルムシートのずれを回避できる。
【００２８】
少なくともいくつかの実施例では、バックライトモジュールは光学フィルムシートをさらに含み、前記光学フィルムシートには位置決め構造２４と嵌め合う切欠部が設けられており、この切欠部の位置は導光板における凹溝の位置及び数量に参照するように設けられてよい。図５に示すように、光学フィルムシート２５には切欠部２５０が設置されており、この光学フィルムシート２５は、図３に示す導光板２２の上表面に取り付けられると共に導光板２２における凹溝の位置に対応できる。このように導光板２２の表面から露出されている位置きめ構造２４は、光学フィルムシートを貫通する。一つの実施例では、前記本体のソフトスリーブは光学フィルムシート２５の切欠部２５０の内壁に接触されて、光学フィルムシート２５とソフトスリーブ２４２の弾性的な接触が実現されるため、光学フィルムシートと固定構造との剛性接触を防止できる。
【００２９】
少なくともいくつかの実施例では、本体２４１は柱状であり、バックプレート２１の底板と平行している面内でのいずれかの断面は形状が同じ、且つ大きさも同じである。例えば、本体２４１は、バックプレート２１の底板と平行している面内での断面の形状が規則の幾何形状を含み、例えば、楕円形、円形、正多角形（正方形又は矩形）である。そのため、前記柱状は楕円柱、円柱、角柱（例えば三角柱、四角柱）等であってもい。その他の実施例では、本体２４１は、バックプレート２１の底板と平行している面内でのいずれかの断面の形状が不規則の幾何形状であってもよい。
【００３０】
少なくともいくつかの実施例では、本体はテーパ状であり、前記導光板から前記光学フィルムシートまでに向ける方向に沿って徐々に小さくなっている。例えば、前記テーパ状は円錐、楕円錐又は角錐（例えば三角錐、四角錐等）であってもよい。一つの例では、前記本体はテーパ形であり且つ平台を有しており、これによりその前端部に設けられているデバイスとの衝撃やキズの発生が防止される。
【００３１】
少なくともいくつかの実施例では、本体２４１は階段の柱状であり、前記導光板に近接する第１部分と前記光学フィルムシートに近接する第２部分とを含み、前記第１部分は、前記バックプレートの底板と平行している面での正投影が前記第２部分より大きい。例えば、本実施例では、本体２４１は階段の柱状であり、前記導光板２２に近接する太い柱部と前記光学フィルムシート２５に近接する細い柱部とを含み、すなわち前記第１部分の径が前記第２部分より大きい。また、バックライトモジュールの光学フィルムシート２５を導光板２２の凹溝２３のエッジより延出するように設置してもよく、これによりバックライトモジュールの導光板２２の凹溝２３での光漏れを効率的に減少させることができる。
【００３２】
図３に示すように、ソフトスリーブ２４２は階段のスリーブ形状を有し、前記導光板２２に近接する第１部分２４２ａと前記光学フィルムシート（図３では図示せず）に近接する第２部分２４２ｂとを含み、バックプレートの底板に垂直している方向に、第１部分２４２ａの厚さは第２部分２４２ｂより大きい。本技術案では、光学フィルムシートが導光板２２の凹溝２３のエンジより延出し、これによりバックライトモジュールの導光板２２の凹溝２３での光漏れを効率的に減少させることができる。
【００３３】
図４に示すように、本実施例では、バックライトモジュールの各位置決め構造２４は前記バックプレート２１の底板に接続されているソフトパッド２４３をさらに含む。
【００３４】
少なくともいくつかの実施例では、少なくとも一つの位置決め柱のソフトスリーブ２４２はソフトパッド２４３と一体的に形成されている構造となっている。このソフトパッド２４３は、導光板２２とバックプレート２１との間の摩擦力を増加させるため、バックプレート２１に対して導光板２２の変位を減少でき、導光板２２の本体２４１への衝突を低減できる。
【００３５】
バックプレート２１の底板とソフトパッド２４３との接続の具体的な形態は制限されなく、例えば、接着またはボルト接続であってもよい。図４に示すように、本実施例では、バックプレート２１の底板には凸部（図示せず）が設けられ、ソフトパッド２４３は凸部に嵌め合うように接続される孔２４４を有しており、この接続形態はソフトパッド２４３の着脱に寄与する。本公開のその他の実施例では、バックプレート２１の底板に凹溝があり、ソフトパッド２４３は凹溝に嵌め合うように接続される凸部を有している。
【００３６】
ソフトスリーブ２４２とソフトパッド２４３との材料は制限されなく、例えば、ソフトスリーブ２４２はゴムスリーブであってもよく、ソフトパッド２４３はゴムパッドであってもよい。位置決め柱は剛性材料により構成されてもよく、例えば、金属または合金である。
【００３７】
少なくともいくつかの実施例では、前記少なくとも一つの位置決め柱は位置決め柱を複数含み、複数の位置決め柱は一つの直線に位置している。例えば、前記複数の位置決め柱の間には、等間隔を有する（図５に示すように）。本実施例では、各位置決め構造２４は二つの位置決め柱を含む。本技術案では、各位置決め構造２４は二つの位置決め柱を採用しており、一つの位置決め柱を含むことに比べて、導光板２２の凹溝２３及び光学フィルムシート２５の切欠部２５０の加工に寄与し、複数の位置決め柱を含むことに比べて、生産コストが節約される。
【００３８】
位置決め構造２４の数量は具体的に制限されるものではなく、例えば、少なくとも二つであり、少なくとも二つの位置決め構造２４はバックプレート２１の対向する二つの非光入射側に分布しており（例えば、図１に示すように）、これにより位置決めの精確性をさらに向上できる。
【００３９】
本公開の実施例には表示装置をさらに提供し、前記いずれかの実施例のバックライトモジュールを含む。
【００４０】
本実施例による表示装置では、導光板２２は位置決め構造２４のソフトスリーブ２４２と弾性的に接触しているため、固定構造との剛性的な接触により破片を生じることが防止され、これにより破片の発生を減少させ、画面の効果を改善させる。また、このバックライトモジュールは、位置決め構造２４により導光板２２及び光学フィルムシート２５が共に位置決められることを採用するため、位置決め構造２４の数量を減少し、複数の位置決め構造２４による公差の累積を減少できる。
【００４１】
表示装置の種類は具体的に制限されなく、例えば液晶テレビ、液晶表示デバイス、デジタルフォトフレーム、電子ペーパー、携帯電話であってもよい。
【００４２】
以上は、本開示の例示となる実施形態に過ぎず、本開示の保護範囲は制限されなく、本開示の保護範囲は請求項の保護範囲を基準とすべきである。
【００４３】
本願は、２０１７年１月５日に出願した中国特許出願第２０１７２００１３９６６.８号の優先権を主張し、ここで、上記中国特許出願に開示された全内容が本願の一部として援用される。
【符号の説明】
【００４４】
１１  バックプレート
１２  反射シート
１３  導光板
１４  光学フィルムシート
１５  光源
１６  ゴム枠
１７  柱
１８  凸部
２１  バックプレート
２２  導光板
２３  凹溝
２３ａ  側壁
２３ｂ  側壁
２３ｃ  側壁
２４  構造
２５  光学フィルムシート
２４１  本体
２４２  ソフトスリーブ
２４２ａ  第１部分
２４２ｂ  第２部分
２４３  ソフトパッド
２４４  孔
２５０  切欠部
【図１】
2020503637.tif 000003
【図２】
2020503637.tif 000004
【図３】
2020503637.tif 000005
【図４】
2020503637.tif 000006
【図５】
2020503637.tif 000007
【国際調査報告】
2020503637.tif 000008
2020503637.tif 000009
2020503637.tif 000010
2020503637.tif 000011